(57)【要約】      （修正有）【課題】簡易にまつげエクステンションを装着する方法、まつげエクステンション用のキット及びまつげエクステンション用人工毛を提供する。【解決手段】接着可能な面を有するテープ１０と複数本の人工まつげ２０と接着剤とを用いたまつげエクステンション用人工毛の装着方法であって、前記テープの第１の接着面１１に前記複数本の人工まつげを接着し、前記テープの第２の接着面１２に前記接着剤を塗布し、前記第２の接着面に塗布された接着剤により複数本の自まつげＵ２Ｌ，Ｕ２Ｒに跨いで前記テープを装着する、まつげエクステンション用人工毛１の装着方法が提供される。【選択図】図１
2020041230.tif 000002
【特許請求の範囲】
【請求項１】
接着可能な面を有するテープと複数本の人工まつげと接着剤とを用いたまつげエクステンション用人工毛の装着方法であって、
前記テープの第１の接着面に前記複数本の人工まつげを接着し、
前記テープの第２の接着面に前記接着剤を塗布し、
前記第２の接着面に塗布された接着剤により複数本の自まつげに跨いで前記テープを装着する、まつげエクステンション用人工毛の装着方法。
【請求項２】
前記テープは、まぶたの際の長さよりも短く、かつ、複数本の自まつげに跨る長さの１又は複数のテープ片である、
請求項１に記載のまつげエクステンション用人工毛の装着方法。
【請求項３】
複数本の前記人工まつげは、長さ、太さ、色、形状、硬さ、重さ、弾力、艶、毛質の少なくともいずれかが異なる複数種類の人工まつげを有し、
前記複数種類の人工まつげのうちの１種類又は２種類以上が、前記テープに接着される、
請求項１又は２に記載のまつげエクステンション用人工毛の装着方法。
【請求項４】
複数本の前記人工まつげと複数本の自まつげとを位置合わせをせずに接着する、
請求項１〜３のいずれか一項に記載のまつげエクステンション用人工毛の装着方法。
【請求項５】
ビューラーを用いて前記人工まつげと複数本の自まつげとの接着部分を密着させる、
請求項４に記載のまつげエクステンション用人工毛の装着方法。
【請求項６】
前記第２の接着面は、まぶたに対して接着しない、
請求項１〜５のいずれか一項のまつげエクステンション用人工毛の装着方法。
【請求項７】
前記まつげエクステンション用人工毛は、片目に対して一つ又は複数に分割されている、
請求項１〜６のいずれか一項のまつげエクステンション用人工毛の装着方法。
【請求項８】
複数本の自まつげに跨いで装着可能なテープと、
前記テープの第１の接着面に接着可能な複数本の人工まつげと、
を有する、まつげエクステンション用のキット。
【請求項９】
複数本の前記人工まつげは、長さ、太さ、色、形状、硬さ、重さ、弾力、艶、毛質の少なくともいずれかが異なる複数種類の人工まつげを有する、
請求項８に記載のまつげエクステンション用のキット。
【請求項１０】
前記テープの色は、黒色又は透明である、
請求項８又は９に記載のまつげエクステンション用のキット。
【請求項１１】
複数本の自まつげに跨いで装着可能なテープと、
前記テープの第１の接着面に接着された複数本の人工まつげと、
を有する、まつげエクステンション用人工毛。
【請求項１２】
前記まつげエクステンション用人工毛は、束状である、
請求項１１に記載のまつげエクステンション用人工毛。
【発明の詳細な説明】
【技術分野】
【０００１】
本開示は、まつげエクステンション用人工毛の装着方法、まつげエクステンション用のキット及びまつげエクステンション用人工毛に関する。
【背景技術】
【０００２】
接着剤を使用し、自分のまつげ（以下、「自まつげ」ともいう。）に対して一対一に人工まつげを付けるまつげエクステンションと呼ばれる技術が知られている（例えば、特許文献１〜３参照）。
【先行技術文献】
【特許文献】
【０００３】
【特許文献１】特開２０１７−１１９９３５号公報
【特許文献２】特許第６１３０５７１号公報
【特許文献３】実用新案登録第３２１１３４１号公報
【発明の概要】
【発明が解決しようとする課題】
【０００４】
つけまつげは、寝る前に外すときに引っ張られて形状が崩れるために、繰り返し使用可能な回数に限度があり、通常数回の使用後に処分する。これに対して、まつげエクステンションでは、寝る前に外す必要がない。また、つけまつげのように接着剤が直接まぶたに付かない。このため、肌荒れせず、まぶたやまつげへのダメージが少ない。
【０００５】
しかしながら、従来のまつげエクステンションでは、一本の自まつげに対して一本の人工まつげを装着するため、専門の技術者に人工まつげを付けてもらうためには定期的に専門のサロンに行く必要がある。
【０００６】
そこで、１つの側面では、本開示は、簡易にまつげエクステンションを装着する方法、まつげエクステンション用のキット及びまつげエクステンション用人工毛を提供する。
【課題を解決するための手段】
【０００７】
１つの実施態様では、接着可能な面を有するテープと複数本の人工まつげと接着剤とを用いたまつげエクステンション用人工毛の装着方法であって、前記テープの第１の接着面に前記複数本の人工まつげを接着し、前記テープの第２の接着面に前記接着剤を塗布し、前記第２の接着面に塗布された接着剤により複数本の自まつげに跨いで前記テープを装着する、まつげエクステンション用人工毛の装着方法が提供される。
【発明の効果】
【０００８】
１つの側面では、本開示は、簡易にまつげエクステンションを装着することができる。
【図面の簡単な説明】
【０００９】
【図１】一実施形態に係るまつげエクステンション用人工毛の装着方法の一例を示す図。
【図２】一実施形態に係るまつげエクステンションの装着位置の一例を示す図。
【図３】一実施形態の変形例に係るまつげエクステンション用人工毛の装着方法の一例を示す図。
【図４】一実施形態に係るまつげエクステンション用のキットの一例を示す図。
【発明を実施するための形態】
【００１０】
以下、一実施形態について添付の図面を参照しながら説明する。なお、本明細書及び図面において、実質的に同一の機能構成を有する構成要素については、同一の符号を付することにより重複した説明を省く。
【００１１】
［まつげエクステンション用人工毛の装着方法］
まず、一実施形態に係るまつげエクステンション用人工毛の装着方法の一例について、図１を参照しながら説明する。一実施形態に係るまつげエクステンション用人工毛の装着方法では、図１（ｄ）に示す複数本の自まつげ（左の自まつげＵ２Ｌ、右の自まつげＵ２Ｒ）に跨いで装着可能なテープ１０と、図１（ｂ）に示すテープ１０の第１の接着面１１に接着可能な複数本の人工まつげ２０と、図１（ｃ）に示すテープ１０の第２の接着面１２に塗布する接着剤２０１とを使用する。
【００１２】
人工まつげ２０は、まつげエクステンションに使用する人工まつげの一例である。まつげエクステンションに使用する人工まつげ２０は、長さ、太さ、色、形状、硬さ、重さ、弾力、艶、毛質の少なくともいずれかが異なる複数種類の人工まつげを有してもよいし、ラメ等の装飾が施されていてもよい。
【００１３】
人工まつげ２０は、ポリブチレンテレフタレート（PBT）等の化学繊維から形成された人工毛であってもよいし、人毛、獣毛であってもよい。人工まつげ２０の断面は、円形であり、直径φが異なる複数の人工毛が含まれる。また、人工まつげ２０の長さによって形状（カールの曲線）が異なる複数の人工毛が含まれる。
【００１４】
また、人工まつげ２０は、黒色、ダークブラウン、パープル、ブルー、ピンク、シルバー、グリーン、ライトオレンジ、ライトゴールド、レッド、ワインレッド、ホワイト、イエロー等、いずれの色で着色されてもよい。また、人工まつげ２０は、先が複数本に分岐していてもよい。
【００１５】
テープ１０は、まつげエクステンションを装着する人（利用者）の自まつげと同一又は類似する色又は透明な色を含むように着色されるか、透明であることが好ましい。例えば、日本人の場合、テープ１０の色は、自まつげになじむように黒色又は透明であることが好ましい。
【００１６】
テープ１０は、細長く、少なくとも片面には人工まつげ２０を接着可能な接着面を有することが好ましい。以下、テープ１０の人工まつげ２０を付ける側の面を、「第１の接着面１１」ともいう。テープ１０の種類としては片面接着タイプであってもく、両面接着タイプであってもよい。
【００１７】
一実施形態に係るまつげエクステンション用人工毛の装着方法では、まず、図１（ａ）に示すように、テープ１０は、上まぶたの際の長さよりも短く、かつ、複数本の自まつげに跨がる長さにカットされる。テープ１０は、人工まつげ２０を付ける前にゆるやかにラウンドさせ、まぶたの際の形状に合わせておくことが好ましい。
【００１８】
利用者が要望する長さや太さをデザインした人工まつげ２０を使用する。図１（ｂ）に示すように、利用者は、ツイーザー１００を用いて人工まつげ２０を１本ずつ取り、テープ１０の長手方向に対して略垂直方向に第１の接着面１１に接着し、並べていく。ただし、人工まつげ２０の並べ方はこれに限られない。例えば、利用者は、人工まつげ２０をクロスするようにテープ１０に接着したり、目頭から外側に向けて徐々に長さの異なる人工まつげ２０を接着したりすることで、好みのまつげをデザインすることができる。これにより、接着可能な面を有するテープ１０と複数本の人工まつげとを有する、束状のまつげエクステンション用人工毛１が作成する。
【００１９】
次に、図１（ｃ）に示すように、束状のまつげエクステンション用人工毛１の、第１の接着面１１の反対面である第２の接着面１２に接着剤容器１５０から押し出した適量の接着剤２０１（グルー）を塗り、所定時間置く。
【００２０】
図１（ｃ）の例では、人工まつげ２０を付ける第１の接着面１１と、反対面の第２の接着面１２とはテープ１０の両面を利用するが、これに限られない。例えば、人工まつげ２０を付ける側の第１の接着面１１と同一面に接着剤２０１を塗布してもよい。この場合、第１の接着面１１と第２の接着面１２とは同じ面となる。
【００２１】
次に、図１（ｄ）に示すように、利用者は、ツイーザー１００を用いて、完成した束状のまつげエクステンション用人工毛１を、自まつげＵ２Ｌの上であって、左まぶたＬの際Ｌ１から離した位置に配置する。これにより、テープ１０は、左まぶたＬの際Ｌ１から離れ、複数本の自まつげＵ２Ｌに跨った状態で自まつげＵ２Ｌの上に接着される。このとき、接着剤２０１が塗布された側の面である第２の接着面１２が下になり、自まつげＵ２Ｌの上にて人工まつげ２０と自まつげＵ２Ｌとを接着する。また、第２の接着面１２は自まつげＵ２Ｌと接触し、まぶたには接着しない。これにより、肌を痛めることなく、まつげエクステンション用人工毛１を自まつげＵ２Ｌに装着できる。
【００２２】
図１（ｄ）には図示していないが、同様にして、利用者は、ツイーザー１００を用いて束状のまつげエクステンション用人工毛１を右側の自まつげＵ２Ｒの上であって、右まぶたＲの際Ｒ１から離した位置に接着する。
【００２３】
次に、図１（ｅ）に示すように、利用者は、ビューラー３００を用いて、テープ１０の第２の接着面１２と複数本の自まつげＵ２Ｌとの接着部分を挟み込み、密着させ、束状のまつげエクステンション用人工毛１を自まつげＵ２Ｌに固着させる。同様にして、ビューラー３００を用いて束状のまつげエクステンション用人工毛１を右側の自まつげＵ２Ｒに固着させる。
【００２４】
次に、図１（ｆ）に示すように、利用者は、束状のまつげエクステンション用人工毛１の接着部分をドライアーで乾かす。
【００２５】
以上に説明した、一実施形態に係るまつげエクステンション用人工毛の装着方法によれば、自まつげの上に束状のまつげエクステンション用人工毛１を接着する。このとき、本実施形態に係るまつげエクステンション用人工毛１は束状に形成されているため、まつげエクステンション用人工毛１が、自分の複数本のまつげに跨って接着され、固定される。よって、従来のように、人工毛の位置を自まつげに対して一本ずつ合わせて接着する必要がない。また、本実施形態に係る束状のまつげエクステンション用人工毛１では、テープ１０に人工まつげ２０を付ける際、利用者は、目的に合致したデザインのまつげを作成でき、作成する人工まつげのデザインに自由度がある。これにより、利用者が好む程度のボリュームの人工まつげ２０を作成したり、まつげ全体に対して中央と端の密度や種類を変えた人工まつげ２０を作成したりすることができる。また、作成したまつげエクステンション用人工毛１は束状であり、ある程度のボリュームを有する。これにより、まつげエクステンション用人工毛１と自まつげとの位置合わせをしなくても自まつげと調和した自然な仕上を実現できる。
【００２６】
これにより、人工毛を自まつげと一対一に装着させる従来のまつげエクステンションと比較して、簡易にまつげエクステンションを装着することができる。よって、利用者は、定期的に専門サロンに通い、時間を費やしてまつげエクステンションを行う手間を省くことができ、かつ、まつげエクステンションにかける費用を減らすことができる。
【００２７】
また、束状のまつげエクステンション用人工毛１は、まぶたＬの際Ｌ１から離した位置にて接着剤で自まつげに固定されるため、つけまつげのように接着剤が直接まぶたに付かない。また、束状のまつげエクステンション用人工毛１は寝る前に外す必要がない。このため、つけまつげと比べて、肌荒れせず、まぶたやまつげへのダメージを少なくすることができる。
【００２８】
なお、束状のまつげエクステンション用人工毛１の自まつげへの接着は、自分の複数本のまつげに跨って接着され、まぶたに触れない位置であれば自由に選択できる。例えば、図２に示すように、まぶたから所定の長さだけ離れて自まつげへ接着してもよい。
【００２９】
図２（ａ）では、左まぶたＬの際Ｌ１から距離Ｗ１だけ離れて、束状のまつげエクステンション用人工毛１が複数の自まつげＵ２Ｌに跨って装着されている。
【００３０】
図２（ｂ）では、左まぶたＬの際Ｌ１からＷ２だけ離れて、束状のまつげエクステンション用人工毛１が装着されている。距離Ｗ２は、図２（ａ）の距離Ｗ１よりも大きい。これにより、まつげをより長くすることができる。
【００３１】
更に、図２（ｃ）では、まつげエクステンション用人工毛１を左まぶたＬの際Ｌ１から距離Ｗ３（＞Ｗ２＞Ｗ１）だけ離すことで、まつげを更に長くすることができる。例えば、Ｗ１は１ｍｍ〜１．５ｍｍ、Ｗ２は１．５ｍｍ〜２ｍｍ、Ｗ３は２ｍｍ〜２．５ｍｍであってもよい。
【００３２】
図２（ａ）のように、まぶたＬの際Ｌ１により近い位置にまつげエクステンション用人工毛１を装着すると、テープ１０がアイラインと同化して、より目を大きく印象づけることができるとともに自然な仕上がりを実現できる。
【００３３】
［変形例１］
以上に説明した、一実施形態にかかるまつげエクステンション用人工毛の装着方法では、第２の接着面１２は、第１の接着面１１の反対面であって、複数本の自まつげＵ２Ｌ、Ｕ２Ｒの上にテープ１０の第２の接着面が下向きに配置されるようにした。また、複数本の人工まつげ２０と複数本の自まつげＵ２Ｌ、Ｕ２Ｒとは、位置合わせをせずに接着した。
【００３４】
しかし、一実施形態にかかるまつげエクステンション用人工毛の装着方法は、これに限られず、例えば、第２の接着面１２は、第１の接着面１１と同一面であって、複数本の自まつげＵ２Ｌ、Ｕ２Ｒの下にテープ１０の第２の接着面１２が上向きに配置されるようにしてもよい。これによっても、複数本の人工まつげ２０と複数本の自まつげＵ２Ｌ、Ｕ２Ｒとを位置合わせをせずに接着することができる。
【００３５】
［変形例１］
以上に説明した、一実施形態にかかるまつげエクステンション用人工毛の装着方法では、片目に対して一つのまつげエクステンション用人工毛１を使用した。しかし、まつげエクステンション用人工毛１は、片目に対して一つに限られず、複数に分割されてもよい。以下では、一実施形態の変形例にかかるまつげエクステンション用人工毛の装着方法について説明する。
【００３６】
図３は、４つに分割されたまつげエクステンション用人工毛１ａ、１ｂ、１ｃ、１ｄの作成及び装着方法の一例を示す。図３（ａ）に示すまつげエクステンション用人工毛１ａ、１ｂ、１ｃ、１ｄの作成方法は、まつげエクステンション用人工毛１の作成方法と同じである。
【００３７】
図３（ｂ）〜（ｅ）は、図１（ｃ）〜（ｆ）と同じ動作である。つまり、図３（ｂ）では、まつげエクステンション用人工毛１ａ、１ｂ、１ｃ、１ｄのテープ片１０ａ、１０ｂ、１０ｃ、１０ｄに接着剤２０１を塗布する。図３（ｃ）では、テープ片１０ａ、１０ｂ、１０ｃ、１０ｄの接着剤２０１を塗布した面である第２の接着面１２を下向きにし、つまり、人工まつげ２０を装着した第１の接着面１１を上向きにし、自まつげＵ２Ｌの上に乗せ、接着する。図３（ｄ）では、接着したまつげエクステンション用人工毛１ａ、１ｂ、１ｃ、１ｄをドライアーで乾かす。
【００３８】
なお、テープ片１０ａ、１０ｂ、１０ｃ、１０ｄは、複数本の自まつげに跨いで装着可能なテープの一例である。また、本変形例の場合においても、第２の接着面１２に塗布された接着剤２０１により複数本の自まつげに跨いでまつげエクステンション用人工毛１ａ、１ｂ、１ｃ、１ｄを自まつげＵ２Ｌに装着することができる。
【００３９】
以上の装着方法によれば、一実施形態にかかるまつげエクステンション用人工毛の装着方法と同様に、簡易にまつげエクステンションを装着することができる。その他、肌に直接接着剤を付けない等、一実施形態にかかるまつげエクステンション用人工毛の装着方法と同様の効果を得ることができる。更に部分的にまつげエクステンション用人工毛１を交換することができる。
【００４０】
［キット］
図４は、一実施形態に係るまつげエクステンション用のキット２の一例である。まつげエクステンション用のキット２には、まつげエクステンション用人工毛１を作成するための道具が一式揃えられた状態で販売される。
【００４１】
図４（ａ）に示すように、まつげエクステンション用のキット２には、本体容器３内に人工まつげ２０ａ、２０ｂ、２０ｃ、２０ｄがボックスに小分けされてセットされている。図４の例では、４種類の人工まつげ２０ａ、２０ｂ、２０ｃ、２０ｄが収納されているが、人工まつげ２０の数や種類はこれに限られず、予め定められた数及び種類の人工まつげ２０が収容されてもよい。また、利用者が選んだ数及び種類の人工まつげ２０を収容可能なように本体容器３内に溝が形成され、人工まつげ２０が入ったボックスを溝に嵌め込んで本体容器３にセットできるようにしてもよい。
【００４２】
本体容器３はヒンジ部３ａを有し、中央にて折り畳み可能である。人工まつげ２０ａ、２０ｂ、２０ｃ、２０ｄが収納された面に対して本体容器３のヒンジ部３ａを挟んで反対面には、テープが入ったテープ容器５０、ツイーザー１００、接着剤が入った接着剤容器１５０が収容されている。ただし、利用者が購入しないことを選択した場合には、テープ容器５０、ツイーザー１００、接着剤容器１５０をキットに収容しなくてもよい。
【００４３】
本体容器３は、台座としても機能することができる。例えば、図４（ｂ）に示すように、本体容器３の所定位置にテープを置き、まつげエクステンション用人工毛１を作成してもよい。
【００４４】
作成されたまつげエクステンション用人工毛１は、上記実施形態又は変形例に示した装着方法によって、図４（ｃ）及び（ｄ）に示すように、自まつげＵ２Ｌの上に接着される。なお、ビューラーの替わりに、図４（ｅ）に示すように、本体容器３のヒンジ部３ａを折り畳み、本体容器３の両面にテープ１０を内包するようにまつげエクステンション用人工毛１を挟み、本体容器３の両面でまつげエクステンション用人工毛１のテープ１０の接着部分を押さえて、まつげエクステンション用人工毛１と自まつげＵ２Ｌとを密着させるようにしてもよい。
【００４５】
これにより、まつげエクステンション用のキット２を購入した利用者は、上記実施形態又は変形例に示した装着方法によって、簡易にまつげエクステンションを装着することができる。
【００４６】
なお、利用者がまつげエクステンション用人工毛１を作成する替わりに、テープ１０に人工まつげ２０を付けたまつげエクステンション用人工毛１の完成品の状態で販売してもよい。この場合、本実施形態に係るまつげエクステンション用人工毛１は、複数本の自まつげに跨いで装着可能なテープ１０と、テープ１０の第１の接着面１１に接着された複数本の人工まつげ２０とを有する。また、本実施形態に係るまつげエクステンション用人工毛は、束状である。これにより、簡易にまつげエクステンションを装着することができる。
【００４７】
今回開示された一実施形態に係る一実施形態及びその変形例に係るまつげエクステンション用人工毛の装着方法、まつげエクステンション用のキット及びまつげエクステンション用人工毛は、すべての点において例示であって制限的なものではないと考えられるべきである。上記の実施形態は、添付の請求の範囲及びその主旨を逸脱することなく、様々な形態で変形及び改良が可能である。上記複数の実施形態に記載された事項は、矛盾しない範囲で他の構成も取り得ることができ、また、矛盾しない範囲で組み合わせることができる。
【符号の説明】
【００４８】
１      まつげエクステンション用人工毛
２      まつげエクステンション用のキット
３      本体容器
３ａ    ヒンジ部
１０    テープ
１１    第１の接着面
１２    第２の接着面
２０    人工まつげ
５０    テープ容器
１００  ツイーザー
１５０  接着剤容器
２０１  接着剤（グルー）
Ｌ      左まぶた
Ｒ      右まぶた
Ｕ２Ｌ  自まつげ（左）
Ｕ２Ｒ  自まつげ（右）
【図１】
2020041230.tif 000003
【図２】
2020041230.tif 000004
【図３】
2020041230.tif 000005
【図４】
2020041230.tif 000006